(57)【要約】      （修正有）【課題】シート状のフェルト層とシート状のゴム等の他の材質層とを接合する場合において、接着剤を使用せずに接合することができ、しかも成形段階において発生する端材について、各材質層に分離して回収することができると共に、使用済品を処分するときにおいてもスクラップにすることなく各材質層に分離して別個に回収することができる積層構造体を提供する。【解決手段】一枚以上のシート状のフェルト層１０と一枚以上のシート状のゴム等の他の材質層２０とを、ポリアミド系繊維で２本以上から形成され、一端の端末３６がループ状の曲折部３２を有し、他端の各端末３７ａ、３７ｂがＶ字形状・Ｌ字形状等に屈折した支持部３３を有しているタグピン３０で係止した。【選択図】図１
0003169877.tif 000002
【実用新案登録請求の範囲】
【請求項１】
コンプレッサ、アキュムレータ等の防音断熱等を目的に使用される一枚以上のシート状のフェルト層と一枚以上のシート状のゴム等の他の材質層が積層され、または複数のシート状のフェルト層が積層され、タグピンで一体的に接合されている積層構造体であって、
前記タグピンは、ポリアミド系繊維で２本以上から形成され、一端の端末がループ状の曲折部を有し、他端の各端末がＶ字形状・Ｌ字形状等に屈折した支持部を有していることを特徴とする積層構造体。
【考案の詳細な説明】
【技術分野】
【０００１】
本考案は、コンプレッサ、アキュムレータ等の防音断熱等を目的に使用される積層構造体に関し、更に詳しくは、一枚以上のシート状のフェルト層と一枚以上のシート状のゴム等の他の材質層とが積層され、または複数のシート状のフェルト層が積層され、各層が接着剤等を用いずに一体的に接合されている積層構造体に関する。
【背景技術】
【０００２】
家庭用空調機等に広く用いられているコンプレッサ、アキュムレータ等は作動時に騒音や振動等が生じると共に発熱するので、防音防振断熱等を目的に周囲をシート状のフェルト層とシート状のゴム等の他の材質層とが積層され、または複数のシート状のフェルト層が積層され、一体的に接合されている積層構造体で包囲することが一般的に行われている。
【０００３】
従来、シート状のフェルト層とシート状のゴム等の他の材質層が積層され、または複数のシート状のフェルト層が積層されている積層構造体おいて、各層を一体的に接合するために接着剤や縫製が用いられていた。しかし、接着剤や縫製を用いて接合した場合、積層構造体の剛性が高くなり、成形時に周囲を包囲する作業が遣り難いとの不具合点があった。
【０００４】
更に、コンプレッサ、アキュムレータ等の周囲を積層構造体にて包囲する成形段階において発生する端材について、フェルト層とゴム等の他の材質層とが接着剤で一体的に接合されていると、フェルト層とゴム等の他の材質層とを接着界面で剥離して別個に回収するのが困難であった。また、フェルト層とゴム等の他の材質層とが縫製で接合されていると、縫い目を切断する作業に非常な手間が掛かるため実際にはフェルト層とゴム等の他の材質層とを分離することが出来なかった。従って、フェルト層を再利用することができずスクラップとして処理せざるを得ず、そのための廃棄処分の費用が掛かり、また資源の有効活用及び地球環境保護の面からも妥当ではなかった。
【０００５】
また、使用済品を処分するときにフェルト層とゴム等の他の材質層とを分離して回収することが資源の有効活用及び地球環境保護の観点から望まれていたが、接着剤や縫製が用いられていると使用後であっても強固に接合等しているので接着界面より剥離して別個に回収することができずスクラップとして処理せざるを得なかった。
【考案の概要】
【考案が解決しようとする課題】
【０００６】
本考案は、かかる上述の問題点を解決するためになされたものであって、その目的とするところは、シート状のフェルト層とシート状のゴム等の他の材質層、または複数のシート状のフェルト層を接合する場合において、接着剤や縫製を用いずに接合することができ、従って柔軟性に優れ成形時における作業性の良い積層構造体を提供することである。
【０００７】
更に、コンプレッサ、アキュムレータ等の周囲を積層構造体にて包囲する成形段階において発生する端材について、接合界面より容易に剥離でき各材質層に分離して回収することができると共に、使用済品を処分するときにおいてもスクラップにすることなく各材質層に分離して別個に回収することができる積層構造体を提供することである。
【課題を解決するための手段】
【０００８】
上記目的を達成するため、本考案の請求項１に係る積層構造体は、コンプレッサ、アキュムレータ等の防音断熱等を目的に使用される一枚以上のシート状のフェルト層と一枚以上のシート状のゴム等の他の材質層が積層され、または複数のシート状のフェルト層が積層され、タグピンで一体的に接合されている積層構造体であって、前記タグピンは、ポリアミド系繊維で２本以上から形成され、一端の端末がループ状の曲折部を有し、他端の各端末がＶ字形状・Ｌ字形状等に屈折した支持部を有していることを特徴とするものである。
【考案の効果】
【０００９】
本考案は、以下の効果を奏する。
【００１０】
すなわち、上記構成を備えた積層構造体は、一枚以上のシート状のフェルト層と一枚以上のシート状のゴム等の他の材質層とが接着剤や縫製を用いることなくタグピンで接合しているので、コンプレッサ、アキュムレータ等の周囲を積層構造体にて包囲する成形段階において発生する端材について、タグピンを切断することでフェルト層とゴム等の他の材質層とを接合界面で分離して別個に回収することができる。従って、成形時に出るフェルト層の端材を再利用することができる。また使用済品についても各材質層に分離して回収することができ、資源の有効活用に資することができると共に地球環境保護の面でも優れたものとすることができる。
【００１１】
更に、積層構造体はタグピンで一体的に接合しているので柔軟性に優れ、成形段階における作業性の向上を図ることができる。また、タグピンはポリアミド系繊維で形成されているので、ポリウレタン繊維で形成されているのと異なり耐熱性・耐水性に優れる。従って、コンプレッサ・アキュムレータ等の周囲を覆う場合でも、タグピンがコンプレッサ・アキュムレータ等の発熱により劣化することがなく、また加水分解等により吸水劣化することもなく耐久性に優れ、使用途中で積層構造体が接合界面で分離し、防音断熱の機能が損なわれるのを防止することができる。
【図面の簡単な説明】
【００１２】
【図１】本考案に係る積層構造体の断面説明図
【図２】図１の積層構造体の平面説明図
【図３】図１の積層構造体の底面説明図
【考案を実施するための形態】
【００１３】
以下に図面を参照して、この考案の実施形態を例示して説明する。
【００１４】
図１は、本考案に係る積層構造体の一実施形態を示す断面説明図であり、図２は、図１の積層構造体を他の材質層側から見た平面説明図であり、図３は、図１の積層構造体をフェルト層側から見た底面説明図である。
【００１５】
図１に示す通り、本考案にかかる積層構造体１は、シート状のフェルト層１０にシート状の他の材質層２０が積層され、そのフェルト層１０と他の材質層２０とがタブピン３０で一体的に接合されている。
【００１６】
このフェルト層１０は、短繊維が絡み合ってシート状に形成されたもので、熱硬化性樹脂をバインダーとして繊維相互を接着させたもの、若しくは熱可塑性繊維をバインダーとして使用し、熱プレスすることで繊維を融着して接着させたもの等があり、使用される繊維としては、綿・ナイロン・アクリル・ポリエステル等の有機繊維や、アラミド・グラス等の無機繊維等が複数混在されている。
【００１７】
他の材質層２０として、本実施例ではゴム層を用いているが、ゴム層に限定されるものではなく、プラスチック層やアルミ箔層であっても良い。また、他の材質層２０は１枚に限定されるものではなく２枚以上でも良く、ゴム層２０が２枚の場合の他、異なる材質層であるゴム層とアルミ箔層とであっても良い。更に、フェルト層１０も単数である必要はなく、用途に応じて複数であっても良い。従って、積層の種類としては、フェルト層／ゴム層のほかに、フェルト層／ゴム層／フェルト層、フェルト層／ゴム層／ゴム層、フェルト層／ゴム層／アルミ箔層等どのようなものであっても良い。
【００１８】
タグピン３０は、ポリアミド系繊維で形成されている。従って、従来のポリウレタン繊維で形成されているのと異なり耐熱性・耐水性に優れている。更に、タグピン３０は、フェルト層１０とゴム層２０を貫通している直線部３１（３１ａ，３１ｂ）と、直線部３１の一方の端末３６であるゴム層２０の表面で両直線部（３１ａ，３１ｂ）を連結しているループ状の曲線部３２と、両直線部（３１ａ，３１ｂ）の他方の端末（３７ａ，３７ｂ）で、フェルト層１０の表面でＶ字状・Ｌ字状等の形状をしている支持部３３とから構成され、直線部３１とループ状の曲線部３２は、二重になっている。
【００１９】
尚、タグピン３０の一方の端末３６であるループ状の曲線部３２がゴム層２０の表面に、他方の端末３７である指示部３３がフェルト層１０の表面に形成されている場合を説明したが、その逆で、一方の端末３６であるループ状の曲線部３２がフェルト層１０の表面に、他方の端末３７である指示部３３がゴム層２０の表面に形成されている場合であっても良い。
【００２０】
また、タグピン３０で係止する位置や個数は、積層構造体１の大きさに応じて任意に設定することができる。更に、タグピンという名称に限定されるものではなく、フックピン等の異なる名称であっても良い。
【００２１】
以上の通り、本実施形態においては、ポリアミド系繊維からなるタグピン３０で、しかも直線部３１とループ状の曲線部３２が二重に形成されているので、耐熱性と耐水性が良いので耐久性に優れ、空調機等のコンプレッサに長期間使用された場合であっても、使用途中でタグピンが経年劣化により切断してフェルト層１０と他の材質層２０とが分離し、防音断熱材としての効果を維持できなくなるのを防止することが可能となる。
【００２２】
更に、フェルト層１０と他の材質層２０とが接着剤ではなくタグピン３０により接合されているので柔軟性に優れ、コンプレッサ、アキュムレータ等の周囲を積層構造体１にて包囲する成形段階での作業性の向上を図ることができる。また、成形段階で出る端材をタグピンを切断することで、フェルト層１０と他の材質層２０とに接合界面で分離して別個に回収することができると共に、使用済品についても同様に接合界面で分離して別個に回収することができるので、資源の有効活用に資することが可能となる。
【００２３】
上記実施の態様では、フェルト層と他の材質層が積層された積層体について説明したが、２枚以上のフェルト層が積層された積層体をポリアミド系繊維で２本以上から形成されるタグピンで接合した場合であっても同様の作用効果を奏することは言うまでもない。
【符号の説明】
【００２４】
１          積層構造体
１０        フェルト層
２０        他の材質層
３０        タグピン
３１（３１ａ，３１ｂ）        直線部
３２        曲線部
３３        係止部
３６        端部
３７（３７ａ，３７ｂ）        端部
【図１】
0003169877.tif 000003
【図２】
0003169877.tif 000004
【図３】
0003169877.tif 000005